(57)【要約】      （修正有）【課題】捕獲した猪、鹿など、捕獲動物の動きを制止して素早く止め刺し処理することを容易にすると共に、生態調査などの目的で野生動物を捕獲する場合、個体を毀損せず、健全な状態で捕獲することを容易にする動物捕獲檻用の捕獲動物拘束装置を提供する。【解決手段】動物捕獲用の檻に設置し、捕獲した動物の動きを拘束する捕獲動物拘束装置において、ロープを編んで作製されることで柔軟性を備え、捕獲しようとする動物の脚が入り込む網目を有する網と、檻の内部の底面に載置され、網の周囲を固定する可動枠７と、可動枠を檻の天井柵に向かって上昇させる引き上げ機構と、可動枠と引き上げ機構とを接続する接続部８と、引き上げ機構により可動枠を上昇させるとき、可動枠及び接続部が檻の側柵に干渉しないよう案内する案内機構９と、を備えることを特徴とする。【選択図】図３
0003190081.tif 000002
【実用新案登録請求の範囲】
【請求項１】
動物捕獲用の檻に設置し、捕獲した動物の動きを拘束する捕獲動物拘束装置において、
ロープを編んで作製されることで柔軟性を備え、捕獲しようとする動物の脚が入り込む網目を有する網と、
前記檻の内部の底面に載置され、前記網の周囲を固定する可動枠と、
前記可動枠を前記檻の天井柵に向かって上昇させる引き上げ機構と、
前記可動枠と前記引き上げ機構とを接続する接続部と、
前記引き上げ機構により前記可動枠を上昇させるとき、前記可動枠及び前記接続部が前記檻の側柵に干渉しないよう案内する案内機構と、
を備えることを特徴とする捕獲動物拘束装置。
【請求項２】
前記ロープが、化学繊維からなることを特徴とする請求項１に記載の捕獲動物拘束装置。
【請求項３】
前記ロープが、天然繊維からなることを特徴とする請求項１に記載の捕獲動物拘束装置。
【請求項４】
前記ロープが、金属製ワイヤロープからなることを特徴とする請求項１に記載の捕獲動物拘束装置。
【請求項５】
前記ロープが化学繊維、天然繊維、金属製ワイヤロープのいずれかの組み合わせであることを特徴とする請求項１に記載の捕獲動物拘束装置。
【考案の詳細な説明】
【技術分野】
【０００１】  本考案は捕獲した猪、鹿など、捕獲動物の動きを制止して素早く止め刺し処理することを容易にすると共に、生態調査などの目的で野生動物を捕獲する場合、個体を毀損せず、健全な状態で捕獲することを容易にする動物捕獲檻用の捕獲動物拘束装置に関する。
【背景技術】
【０００２】  従来から、害獣を捕獲するために、実用新案登録第３１６５０５４号は金属製の底面を引き上げ、猪や鹿等の害獣の脚を拘束して持ち上げ、天井面と底面、或いは側面と底面で挟み付けて動きを制約させている。また、野生動物の生態調査をするために麻酔銃を使用して捕獲することが行われている。
【先行技術文献】
【特許文献】
【０００３】
【特許文献１】実用新案登録第３１６５０５４号
【考案の概要】
【考案が解決しようとする課題】
【０００４】  実用新案登録第３１６５０５４号では、檻の底面は金属製の金網で製作されているため持ち上げる際に動物が暴れることで四肢並びに腹部に傷をつける事が考えられ、肉質低下の要因になる。また、野生動物の生態調査のために、麻酔銃を使用して捕獲する場合には麻酔銃により動物を毀損する可能性があるので、好ましい手段ではない。
【課題を解決するための手段】
【０００５】  本考案は動物捕獲用の檻に設置し、捕獲した動物の動きを拘束する捕獲動物拘束装置において、
化学繊維、天然繊維、金属製ワイヤロープ又はそれらの組み合わせからなる、柔軟性を備え、捕獲しようとする動物の脚が入り込む網目を有する網と、
前記檻の内部の底面に載置され、前記網の周囲を固定する可動枠と、
前記可動枠を前記檻の天井柵に向かって上昇させる引き上げ機構と、
前記可動枠と前記引き上げ機構とを接続する接続部と、
前記引き上げ機構により前記可動枠を上昇させるとき、前記可動枠及び前記接続部が前記檻の側柵に干渉しないよう案内する案内機構と、
を備えることを特徴とする捕獲動物拘束装置を用いることによって課題を解決できる。
【考案の効果】
【０００６】  本考案の捕獲動物拘束装置を用いることにより、捕獲動物は可動枠に取り付けられた柔軟性のある網により包まれるようにして拘束されるため、十分な拘束性を保ちながらも捕獲動物を傷つけることがない。また、拘束性が十分に確保されていることから、槍などの道具で急所を的確に刺すことができる。野生動物の生態調査などのために、健全な状態で生け捕りにし、生体を計測する、或いは、発振器などの標識を取り付けることがある。本考案の装置を用いることにより、そのような目的にも有効な手段を提供できる。
【図面の簡単な説明】
【０００７】
【図１】捕獲動物拘束装置を備えた檻を現場に設置した状態を示す図である。
【図２】檻に捕獲動物（例として猪）が入り、入り口柵が閉じられた状態を示す図である。
【図３】捕獲動物拘束装置の可動枠が引き上げられて捕獲動物の動作が拘束された状態を示す図である。
【考案を実施するための形態】
【０００８】  本考案の捕獲動物拘束装置は、従来型の一般的な捕獲檻では迅速且つ的確な止め刺し処理が困難であった事と、更に生態調査などで個体を毀損することなく捕獲する事に鑑み考案されたもので、新製の檻は勿論のこと既設の檻にも簡単に設置出来る事を特徴としている。
【実施例】
【０００９】  図１は捕獲動物拘束装置を備えた檻を現場に設置した状態を示す図である。【００１０】  檻は、側柵１、２、３、天井柵４、入り口柵５、底柵６までの各柵を互いに接続し、直方体に組み立てられる。また、入り口柵５は、上下に可動するように構成され、獣を捕獲するために檻を仕掛けるときは上に持ち上げられた状態で係止され、獣が檻の中に入ると前記係止が解除されることにより落下し、獣を檻の中に閉じ込める。【００１１】  側柵１、２、３、天井柵４、入り口柵５、底柵６の各柵は、檻の強度を考慮して厚さ３〜５ミリメートル、幅が３０〜５０ミリメートルのＬ型鋼を用いて、高さ１０００ミリメートル、幅１０００〜２０００ミリメートル程度の枠組みを作り、該枠組みの開口部を直径１０ミリメートルほどの丸棒鋼で、対象獣（猪、鹿）に合わせて８０〜１００ミリメートル程度の間隔で溶接して製作する。また丸棒鋼の代わりに鉄棒を溶接して製作された既製の金網を使用することもできる。各柵の枠組みには隣接する枠と結合するための取り付け穴が明けられている。【００１２】    本実施形態の捕獲動物拘束装置は、網と、可動枠７と、引き上げ機構と、接続部８と、案内機構９とを備える。【００１３】  網は化学繊維、天然繊維、金属製ワイヤロープ又はそれらの組み合わせからなる、柔軟性を備え、捕獲しようとする動物の脚が入り込む網目を有する。【００１４】  可動枠７は、檻の内部の底面に載置され、網の周囲を固定する。ここで檻の内部の底面とは、本実施形態では、檻の底柵６の上面をいい、底柵を設けない檻においては、地面に直接載置させることを意図する。可動枠７の大きさは、檻の底面より若干小さめとされ、檻の底面の略全域を網で覆うとともに、可動枠７が上昇されるときは、側柵１、２、３及び入口柵５に接触しない程度の隙間を有する。【００１５】  引き上げ機構は、引き上げ枠１０と、ブリッジ部支柱１１とブリッジバー１４と、巻き上げ機１２とを備える。【００１６】  引き上げ枠１０は、檻の天井柵４の上面に載置される、複数本の鋼材を上面視日字状に組み合わせたものである。引き上げ枠１０は、その中央近傍から上方に向かって巻き上げ機の引き上げ索１３の先端が接続され、その四隅近傍から下方に向かって接続部８が接続される。【００１７】  ブリッジ部は、２本のブリッジ支柱１１と、ブリッジ支柱の上端に架け渡されるブリッジバー１４とで構成される門型をなす。ブリッジ支柱１１の下端は、天井柵４の枠組みの長手方向の略中央に立設される。また、ブリッジバー１４の略中央に巻き上げ機１２の本体が取り付けられる。【００１８】  巻き上げ機１２は、上述のように、ブリッジバー１４に本体が接続され、引き上げ枠に引き上げ索１３の先端が接続される。そして、巻き上げ機１２により引き上げ枠１０を引き上げ、それにともない、接続部８を介して可動枠７及び網を天井柵４に向かって上昇させる。なお、巻き上げ機１２には、公知のチェーンブロック、ギヤ機構等が採用できる。【００１９】  接続部８は、可動枠７と引き上げ枠１０とを機械的に接続するもので、公知の金属棒、金属板、チェーン、ロープ等が採用できる。【００２０】  案内機構９は、鋼材に丸孔又は角孔を設けたもので、前記孔に接続部８���遊嵌されるとともに、案内機構９自体が檻の天井柵４に固設される。案内機構９は引き上げ機構により可動枠７を上昇させるとき、可動枠７及び接続部８が檻の側柵１、２に干渉しないように、可動枠７及び接続部８の水平方向の動きを規制するものである。【００２１】  次に、本実施形態の捕獲動物拘束装置の使用方法を説明する。【００２２】  先ず、図１に示すように、檻に本実施形態の捕獲動物拘束装置を設置し、入り口柵の扉を上昇させた状態で、檻の内部に餌等を置き、檻を仕掛ける。【００２３】  次に、図２に示すように、捕獲動物が檻に入り、入り口柵５の扉が閉まることにより、捕獲動物が捕獲される。このとき、可動枠７及び網は檻の底柵６の上にあり、捕獲動物は、網の上に立った状態となる。【００２４】  次に図３に捕獲動物が本考案の拘束装置により拘束された状態を示す。
第２図に示すように捕獲動物が檻に入り、入口柵の扉が閉じている事を確認して、巻き上げ機１２をブリッジバー１４の中央部に設置された吊り上げ金具１６に取り付ける、一方巻き上げ機１２の引き上げ索１３の先端部を引き上げ枠１０の中央部に設置された吊り上げ金具１７に連結し、巻き上げ機１２を操作して引き上げる。
引き上げ索１３の上昇に伴い引き上げ枠１０は引き上げられ、接続部８により連結された可動枠７及び可動枠７に張られた網は天井柵４方向に引き上げられる、それにより檻の中の捕獲動物の四肢が可動枠７に張られた網目の中に入り込み、更に引き上げ操作を続行する事により捕獲動物の腹部を包み込む様な状態で引き上げられ、四肢が地面から離れ、宙づりの状態になり動きが拘束される。
【産業上の利用可能性】
【００２５】  近年、害獣による農産物被害が急増し農家を悩ませ、自治体もその対策に乗り出している。害獣（猪、鹿）などの肉も貴重な資源として活用しようとの動きが活発化してきていが、銃により仕留められた獣肉は被弾時に内蔵液に侵入していた細菌などが肉に混入するなどの理由で敬遠され、檻での捕獲物が推奨されている。その為に必要なのが捕獲物を迅速且つ的確に刺し止め処理を行う事である。捕獲から消費者までの６次産業化を検討している自治体もあり、本考案はその分野での産業化に利用可能であると思考される。
【符号の説明】
【００２６】１  側柵
２  側柵
３  側柵
４  天井柵
５  入り口柵
６  底柵
７  可動枠
８  接続部
９  案内機構
１０  引き上げ枠
１１  ブリッジ支柱
１２  巻き上げ機
１３  引き上げ索
１４  ブリッジバー
１５  接続部取付金具
１６  吊り上げ金具
１７  吊り上げ金具
【図１】
0003190081.tif 000003
【図２】
0003190081.tif 000004
【図３】
0003190081.tif 000005